(57)【要約】      （修正有）【課題】パチンコ店等の遊技店で使用するに適した椅子に関するもので、人体の疲れを癒す効果を期待することのできる椅子を提供すること。【解決手段】着座した人体に接する背凭れ部分３に、マイナスイオンを発生するチップ１０を設けた椅子１。マイナスイオンを発生するチップとしては、マイナスイオンを発生することが知られている公知の種々の材質を含むものを使用できる。マイナスイオンの効果とともに、遠赤外線効果を期待できるもの、例えば、ゼオライト粒子を混合したセラミックスのチップが好ましい。【選択図】図１
0003116362.tif 000002
【実用新案登録請求の範囲】
【請求項１】
着座した人体に近接する部分にマイナスイオンを発生するチップを取り付けたことを特徴とする椅子。
【請求項２】
着座した人体に近接する部分にマイナスイオンを発生するチップを取り付けた椅子であって、前記マイナスイオンを発生するチップが、背凭れ部の横桟に設けた凹部に嵌め込んで固定されている椅子。
【請求項３】
着座した人体に近接する部分にマイナスイオンを発生するチップを取り付けた椅子であって、前記マイナスイオンを発生するチップが、背凭れ部を構成する板材の表面側に取り付けられている椅子。
【請求項４】
着座した人体に近接する部分にマイナスイオンを発生するチップを取り付けた椅子であって、背凭れ部に着座した人体のツボを押圧する突起が設けられており、この突起にマイナスイオンを発生するチップが設けられている椅子。
【請求項５】
マイナスイオンを発生するチップが、ゼオライト粒子を混合したセラミックスである請求項１乃至４のいずれかに記載の椅子。
【考案の詳細な説明】
【技術分野】
【０００１】
本考案は、パチンコ等の遊技店で使用される椅子に関するものである。
【背景技術】
【０００２】
パチンコ店等の遊技場で使用されている椅子には種々のものがある。これらは通常合成樹脂、金属等を主たる材料とするもので、遊技者の身体が接触する部分にはクッション材が取り付けられている。この種の遊技場用椅子には、種々のものが実用されてきたが、なかには、疲労を抑制する工夫をしたもの（特許文献１参照）、スライド式のもの（特許文献２）、大当たりのときに音声が出るようにしたもの（特許文献３）等も提案されている。
【０００３】
【特許文献１】特開２００−号公報
【特許文献２】特開２００−号公報
【特許文献３】特開２００−号公報
【考案の開示】
【考案が解決しようとする課題】
【０００４】
従来の遊技用椅子の多くは、クッション等を工夫することにより、遊技者が長時間座ってもあまり疲労を感じないようにしたものであったが、クッションやデザインの改良だけでは、十分な疲労抑制ないし疲労回復効果を有するものはなかった。本考案は、従来のクッション効果に加えて、マイナスイオンの発生により、人体の疲れを癒す効果を期待することのできる椅子を提供することを課題としている。
【課題を解決するための手段】
【０００５】
本考案は、上記課題を解決するため、次のような椅子を提供する。すなわち、本考案に係る椅子は、着座した人体に近接する位置に、マイナスイオンを発生するチップが取り付けられていることを特徴としている。
【０００６】
上記マイナスイオンを発生するチップは、椅子の背凭れ部のフレームに設けた横桟に凹部を形成して、この凹部に嵌め込んだ状態で固定しておくのが好ましい。背凭れ部の腰の当たる部分の板面に取り付けておいてもよい。また、背凭れ部の表面に人体のツボを押圧する突起を形成し、この突起にマイナスイオンを発生するチップを設けておいてもよい。このチップとしては、ゼオライト粒子を混入したセラミックのチップを効果的に使用することができる。
【考案の効果】
【０００７】
この椅子は、着座した人体に接する部分付近にマイナスイオンを発生するチップが取り付けられているので、マイナスイオンによる癒し効果が期待できる。マイナスイオンの癒し効果については、広く知られている。マイナスイオンを発生するチップを取り付ける場所としては、着座した人の腰に当たる部分等が適している。このため、椅子のフレームの腰の部分に横桟を設け、この横桟にマイナスイオンを発生するチップを取り付けておけばよい。マイナスイオンを発生するチップとして、マイナスイオンを発生することが知られているゼオライトの粒子を混入したセラミックチップを使用すれば、セラミックの遠赤外線効果による、疲労回復作用も期待することができる。
【考案を実施するための最良の形態】
【０００８】
以下、本考案の実施形態について具体的に説明する。図１、図２は本考案に係る椅子を例示するもので、この椅子１は、例えばパチンコ店で使用される遊戯用椅子であり、ほぼ水平な着座部２と、該着座部から立ち上がる背凭れ部３と、これらを支持する脚部４を備えている。脚部４は金属パイプで作られ、その下端部には合成樹脂製のベース５が設けられている。
【０００９】
着座部２には、クッション効果を有する材料、例えばウレタン樹脂のクッション２ａが取り付けられている。背凭れ部３には、弾性を有する合成樹脂製の板材が表面材として設けられている。この椅子の着座部２と背凭れ部３はフレーム６によって支持されている。フレーム６は、着座部２のフレーム６ａと背凭れ部３のフレーム６ｂとを軸６ｃで連結してなり、背凭れ部３のフレーム６ｂが軸６ｃを中心に所定角度だけ傾斜可能となっている。なお、背凭れ部３のフレーム６ｂの上下中間部には、左右方向の補強用横桟６ｄが一体に設けられている。
【００１０】
背凭れ部３には、マイナスイオンを発生するチップ１０が、人体に臨むように取り付けられている。このチップ１０は、図３に示すように、前記フレーム６の横桟６ｄに形成した凹部１１に嵌め込んで固定されている。なお、図示例では、２個のチップ１０が横方向に所定の間隔でそれぞれ取り付けられている。
【００１１】
前記マイナスイオンを発生するチップを構成する物質としては、種々のものが公知であり、種々の用途に使用されている。例えばごく微量の放射線を放出する放射性希土類を混合した混合物等がある。この種の物質は、マイナスイオンによる自律神経系の調律による癒し効果や、環境浄化効果、抗菌効果、消臭効果等があるとされている。また、遠赤外線による血管拡張・循環血液量の促進等による代謝機能改善効果も期待できるといわれている。本考案の実施形態では、アルミナ系セラミックスにゼオライト粒子を混ぜて成形・焼成したもので、図４に示すような円盤状のものである。寸法は、直径が数十ｍｍ程度とするのが好ましく、例えば直径が２４ｍｍ、厚みが２ｍｍであるが、これに限らず、適当な寸法のものとすればよい。形状も、円形に限らず、三角形、四角形その他の多角形状でもよい。図中の粒１２，…がマイナスイオン発生物質であり、リング状の微小突起１３は、位置決め及び固定用の突起である。
【００１２】
この椅子１は、例えばパチンコ店等の遊技場で使用するに適している。パチンコ遊技者は、椅子に座った状態で長時間を過ごすので、疲労が蓄積しやすいが、この椅子１を使用すると、マイナスイオンが人体に向けて放出されるので、癒し効果が期待できる。また、セラミックス材を母材とするチップであるから、遠赤外線による代謝機能改善効果等も期待できる。
【００１３】
なお、背凭れ部３の表面側の、人体のツボにあたる部分に、当該ツボを刺激する多数の突起１５を設けておくのが好ましい。前記マイナスイオンを発生するチップ１０をこの突起として利用することも可能である。
【産業上の利用可能性】
【００１４】
この椅子は、背凭れ等の人体に接する部分付近にマイナスイオンを発生するチップを取り付けたもので、構造的には簡単であり、製作もそれほど困難ではなく、遊技用の椅子として効果的に使用できる。
【図面の簡単な説明】
【００１５】
【図１】椅子の背面側から見た斜視図である。
【図２】椅子の前面側から見た斜視図である。
【図３】フレームの説明図である。
【図４】マイナスイオンを発生するチップの正面図である。
【符号の説明】
【００１６】
１      椅子
２      着座部
３      背凭れ部
４      脚部
１０    チップ
【図１】
0003116362.tif 000003
【図２】
0003116362.tif 000004
【図３】
0003116362.tif 000005
【図４】
0003116362.tif 000006